(57)【特許請求の範囲】
【請求項１】
外表面に開口部が形成された円筒状の容器本体と、
前記容器本体内に収容された海水電池装置と、
前記容器本体の外周面に装着され、かつ前記開口部を開閉可能に前記容器本体
の外表面に沿って並進移動する筒状の閉鎖体と、
前記開口部を閉鎖するように位置する前記閉鎖体が移動不可能となるように前記容器本体の外周面に着脱自在に装着される、一部切欠の弾性固定帯と、
前記開口部を開放する位置で前記閉鎖体を螺合することにより固定する固定手段とを有する
ことを特徴とする海水発電装置。
【請求項２】
前記請求項１に記載の海水発電装置と、
発煙剤を収容する発煙筒と、
前記海水発電装置により生じる電流により作動し、前記発煙剤を発煙させる点火装置とを有してなる海上発煙筒。
【発明の詳細な説明】
【０００１】
【産業上の利用分野】
この発明は開口部開閉装置、海水発電装置および海上発煙筒に関し、さらに詳しくは、構造が簡単で取り扱い易く、使用時に開口部を容易に開放状態または閉鎖状態に維持することができ、各種装置に応用可能で多様な用途を有する開口部開閉装置、使用前における誤作動を防止する一方、使用時には海水電池を確実に作動させ、電流を生じさせることができる海水発電装置、および、使用前における誤作動を防止し、緊急時下で容易にかつ確実に発煙させることができる海上発煙筒に関する。
【０００２】
【従来の技術と発明が解決しようとする課題】
船舶の難破等の緊急事故時に海上に投下される海上発煙筒には、一般に海水発電装置が備えられている。海水発電装置には海水電池が収容されている。海水電池が海水に接触すると、海水発電装置に電流が生ずる。この電流により海上発煙筒が作動する。したがって、海上発煙筒の誤作動や、海水発電装置における起電流による感電、発火等の事故を防止する観点から、海水発電装置は、使用時にのみ、内部に収容される海水電池が海水に接触し得る構造に設計される。
【０００３】
従来の海水発電装置は、たとえば以下のような構造に設計されていた。すなわち、互いに嵌合する２つの一端有底の筒状体を嵌合してなる容器を形成し、この容器における内部空間を電池室とし、この電池室に海水電池が収容され、前記容器における嵌合部に前記電池室と連通する貫通孔が形成されてなる構造である。この従来の海水発電装置の場合、使用前においては、前記２つの筒状体を互いに逆回転させ、各々の筒状体に形成された貫通孔の位置をずらしておく。この状態においては、電池室の内部と外部とは連通していない。このため、海水が電池室の内部に流入することはなく、海水発電装置に電流は生じない。一方、使用時においては、前記２つの筒状体を互いに逆回転させ、各々の筒状体に形成された貫通孔の位置を一致させる。この状態においては、電池室の内部と外部とが連通するので、海水が電池室の内部に流入する。その結果、海水電池が海水に接触し、海水発電装置に電流が生ずる。
【０００４】
しかしながら、従来の海水発電装置の場合には以下のような問題がある。すなわち、各々の筒状体に形成された貫通孔の位置を一致させるのに、特別な器具を用いて前記２つの筒状体を互いに逆回転させなければならない。しかもこの操作には、ある程度の力と熟練とを要するので、短時間で簡便に貫通孔の位置を一致させ、海水発電装置に電流を生じさせることができない。このため、緊急時下、迅速に海上発煙筒を作動させることができないことがある。海上発煙筒の作動の遅れは人命に関わる極めて重大な問題である。
【０００５】
したがって、使用時に開口部を容易に開放または閉鎖することができる開口部開閉構造を有する海水発電装置、および前記海水発電装置を備えた海上発煙筒の開発が望まれる。一方、前記海水発電装置における開口部開閉構造と同様の構造を有し、多用途の開口部開閉装置の開発も望まれる。
【０００６】
この発明は、このような事情の下になされ、前記従来における問題を解決することを目的とする。この発明は、構造が簡単で取り扱い易く、使用時に開口部を容易に開放状態または閉鎖状態に維持することができ、各種装置に応用可能で多様な用途を有する開口部開閉装置を提供することを目的とする。また、この発明は、使用前における誤作動を防止する一方、使用時には海水電池を確実に作動させ、電流を生じさせることができる海水発電装置を提供することを目的とする。さらに、この発明は、使用前における誤作動を防止し、緊急時下で容易にかつ確実に発煙させることができる海上発煙筒を提供することを目的とする。
【０００７】
【前記課題を解決するための手段】
前記課題を解決するための発明は以下の通りである。
【００１０】
第１の発明は、外表面に開口部が形成された円筒状の容器本体と、前記容器本体内に収容された海水電池装置と、前記容器本体の外周面に装着され、かつ前記開口部を開閉可能に前記容器本体の外表面に沿って並進移動する筒状の閉鎖体と、前記開口部を閉鎖するように位置する前記閉鎖体が移動不可能となるように前記容器本体の外周面に着脱自在に装着される、一部切欠の弾性固定帯と、前記開口部を開放する位置で前記閉鎖体を螺合することにより固定する固定手段とを有することを特徴とする海水発電装置である。
【００１１】
第２の発明は、前記請求項１に記載の海水発電装置と、発煙剤を収容する発煙筒と、前記海水発電装置により生じる電流により作動し、前記発煙剤を発煙させる点火装置とを有してなる海上発煙筒である。
【００１２】
【作用】
【００１３】
参考としての開口部開閉装置は以下のように作用する。すなわち、弾性固定帯を容器本体の外周面に装着すると、閉鎖体が移動不可能となる。弾性固定帯が容器本体の外周面に装着されている間、開口部は閉鎖され続ける。弾性固定帯を容器本体の外周面から取り外すと、閉鎖体が移動可能となる。閉鎖体を容器本体の外表面上を移動させる。閉鎖体を固定手段により固定する。閉鎖体が固定手段により固定されている間、開口部は開放され続ける。
【００１４】
第１の発明の海水発電装置は以下のように作用する。すなわち、弾性固定帯を容器本体の外周面に装着すると、閉鎖体が移動不可能となる。弾性固定帯が容器本体の外周面に装着されている間、開口部は閉鎖され続ける。このとき、容器本体の内部と外部とは連通していない。弾性固定帯を容器本体の外周面から取り外すと、閉鎖体が移動可能となる。閉鎖体を容器本体の外表面上を移動させる。閉鎖体を固定手段により固定する。閉鎖体が固定手段により固定されている間、開口部は開放され続ける。このとき、容器本体の内部と外部とは連通している。この状態で海水発電装置を海上に投下すると、開口部から海水が容器本体の内部に流入し、容器本体の内部に収容された海水電池が海水に接触する。海水電池装置に電流が生じ、海水発電装置が作動する。
【００１５】
第２の発明の海上発煙筒は以下のように作用する。すなわち、弾性固定帯を容器本体の外周面に装着すると、閉鎖体が移動不可能となる。弾性固定帯が容器本体の外周面に装着されている間、開口部は閉鎖され続ける。このとき、容器本体の内部と外部とは連通していない。弾性固定帯を容器本体の外周面から取り外すと、閉鎖体が移動可能となる。閉鎖体を容器本体の外表面上を移動させる。閉鎖体を固定手段により固定する。閉鎖体が固定手段により固定されている間、開口部は開放され続ける。このとき、容器本体の内部と外部とは連通している。この状態で海水発煙筒を海上に投下すると、開口部から海水が容器本体の内部に流入し、容器本体の内部に収容された海水電池が海水に接触する。海水発電装置に電流が生ずる。この電流により点火装置が作動し、発煙剤を発煙させる。海上発煙筒から発煙が生ずる。
【００１６】
【実施例】
（参考例）
以下、参考例である開口部開閉装置の実施例について図面を参照しながら説明する。図１は、参考例である開口部開閉装置の一例を示す一部切欠概略説明図である。
【００１７】
図１に示す開口部開閉装置１は、本体２と閉鎖リング６とを有してなる。
【００１８】
本体２は、円柱部３とフランジ部４とを有する。
【００１９】
前記円柱部３は、外径の異なる２つの円柱形状の部材を同軸に一体化してなる形状を有する。前記２つの円柱形状の部材の内、大きな外径を有する部材が第１円柱部３ａであり、小さな外径を有する部材が第２円柱部３ｂである。第１円柱部３ａの周側面には、円柱形状の開口部５が、前記第１円柱部３ａにおける直交する２つの直径と同軸になるように、４つ等間隔で形成されている。参考例において前記４つの開口部５には、遮光を要する固形状の薬剤が装填される。第２円柱部３ｂの周側面における両端部は、凸状に形成され、その表面にはネジ山が形成されている。これらのネジ山の内、第１円柱部３ａから見て、近くに位置するのがネジ山３ｃであり、遠くに位置するのがネジ山３ｄである。
【００２０】
前記フランジ部４は、前記第１円柱部３ａよりも大きな外径を有する円板形状の部材である。フランジ部４は、円柱部３と同軸になるように、その一端が第２円柱部３ｂの端面に一体的に接続される。参考例において、本体２はステンレス鋼製である。
【００２１】
閉鎖リング６は、筒部７と底部８とを有する。筒部７は円筒形状の部材である。筒部７の高さは、前記第１円柱部３ａの高さと同じに形成されている。底部８は、筒部７の外径と同じ大きさの外径を有する円板形状の部材である。底部８には、前記底部８と同軸に円形の貫通孔９が形成されている。貫通孔９の外周面すなわち底部８の内周面には、前記ネジ山３ｃおよび３ｄと螺合可能なネジ山８ａが形成されている。底部８は、筒部７と同軸になるように、その一端が筒部７の一端と一体的に接続される。参考例において、閉鎖リング６はステンレス綱製である。閉鎖リング６は、貫通孔９が前記第２円柱部３ｂに貫通された状態で、かつ底部８が前記フランジ部４側に位置するように、本体２に備えられる。
【００２２】
なお、参考例においては、本体２における円柱部３およびフランジ部４は円柱形状に設計されているが、角柱形状等に設計しても良い。その場合、閉鎖リング６も本体２の形状に合わせて設計される。
【００２３】
前記開口部５は、溝状、凹状、貫通孔状などのいずれであっても良く、目的に応じて適宜決定することができる。開口部５の開口形状としては、円形状、多角形状、帯状、線状などのいずれであっても良い。開口部５の数、大きさ、位置などについても特に制限はなく、適宜選択することができる。開口部５には薬剤を充填しても良いし、目的に応じて揮発性の芳香剤を含有するゲル、太陽電池、吸湿剤など種々の物質、装置等を充填ないし装填しても良い。
【００２４】
前記閉鎖リング６の前記本体２への接続は、螺合手段に限られず、嵌合、粘着テープによる固定などの各種の手段を採用することができる。
【００２５】
前記本体２および閉鎖リング６の材質、大きさ、形状等については特に制限はなく、使用目的に応じて適宜決定することができる。
【００２６】
参考例の開口部開閉装置１においては、初期状態として閉鎖リング６におけるネジ山８ａと、ネジ山３ｃとが螺合している。このとき、開口部５は閉鎖リング６により閉鎖されている。開口部５内に装填された薬剤は遮光されている。使用時の開口部開閉装置１においては、閉鎖リング６におけるネジ山８ａと、ネジ山３ｃとの螺合が解かれる。閉鎖リング６を本体３の外表面に沿ってネジ山３ｄ側に移動させる。この閉鎖リング６の移動に伴い、開口部５が露出する。閉鎖リング６におけるネジ山８ａと、ネジ山３ｄとを螺合させる。このとき、開口部５は開放され続ける。この状態における開口部開閉装置１を、たとえば池等に沈めると、開口部５内に装填された薬剤が徐々に溶解する。その結果、前記薬剤の効果を長期間維持することができる。しかも、使用前の露光による薬剤の劣化を防止することもできる。
【００２７】
参考例の開口部開閉装置１は、本体３と閉鎖リング６とを有してなる簡単な構造であり、ネジ山８ａと、ネジ山３ｃまたは３ｄとを螺合するだけで簡単に開口部５を閉鎖状態または開放状態に維持することができ、取り扱い易い。また、開口部５の形状等を適宜変更することにより、各種装置に応用することができ、多様な用途を有する。さらに、開口部５に適宜選択した物質、装置等を充填ないし装填することにより、各種分野において好適に使用することができる開口部開閉装置とすることができる。
【００２８】
（参考例１）
以下、参考例の開口部開閉装置の実施例について図面を参照しながら説明する。図２は、参考例の開口部開閉装置の一実施例を示す一部切欠概略説明図である。図３は、図２に示す開口部開閉装置の動作例を示す一部切欠概略説明図である。
【００２９】
図２および図３に示す開口部開閉装置１１は、容器本体１２と閉鎖リング１６と弾性固定帯２０とを有してなる。
【００３０】
容器本体１２は、円柱部１３とフランジ部１４とを有する。
【００３１】
前記円柱部１３は、外径の異なる３つの円柱形状の部材を同軸に一体化してなる形状を有する。前記３つの円柱形状の部材の内、最も大きな外径を有する部材が第１円柱部１３ａであり、次に大きな外径を有する部材が第２円柱部１３ｂであり、最も小さな外径を有する部材が第３円柱部１３ｃである。前記円柱部１３おいては、第１円柱部１３ａ、第２円柱部１３ｂおよび第３円柱１３ｃが、この順にかつ同軸に接続される。第２円柱部１３ｂの周側面には、円形の開口部１５が、前記第２円柱部１３ｂにおける直交する２つの直径と同軸になるように、４つ等間隔で形成されている。第３円柱部１３ｃの周側面における、第２円柱部１３ｂと接続される側とは反対側の端部は、凸状に形成され、その表面にはネジ山１３ｄが形成されている。
【００３２】
前記フランジ部１４は、前記第２円柱部１３ｂよりも大きな外径を有する円板形状の部材である。フランジ部１４は、円柱部１３と同軸になるように、その一端が第３円柱部１３ｃの端面に一体的に接続される。参考例１において、容器本体１２はステンレス鋼製である。
【００３３】
また、参考例１においては、接続部１３ｅが、円柱部１３と同軸になるように、その一端が第１円柱部１３ａの端面に一体的に接続されている。接続部１３ｅは、第３円柱部１３ｃと同じ外径を有するリング状部材であり、ステンレス鋼製である。
【００３４】
なお、容器本体１２は、中空に形成され、内部に空間１３ｆが形成されている。容器本体１２の内部すなわち空間１３ｆと、外部とは、前記開口部１５により連通されている。
【００３５】
閉鎖リング１６は、筒部１７と底部１８とを有する。筒部１７は円筒形状の部材である。筒部１７の高さは、前記第２円柱部１３ｂの高さと同じに形成されている。底部１８は、筒部１７の外径と同じ大きさの外径を有する円板形状の部材である。底部１８には、前記底部１８と同軸に円形の貫通孔１９が形成されている。貫通孔１９の外周面すなわち底部１８の内周面には、前記ネジ山１３ｄと螺合可能なネジ山１８ａが形成されている。底部１８は、筒部１７と同軸になるように、その一端が筒部１７の一端と一体的に接続される。参考例１において、閉鎖リング１６はステンレス綱製である。閉鎖リング１６は、貫通孔１９が前記第３円柱部１３ｃに貫通された状態で、かつ底部１８が前記フランジ部１４側に位置するように、容器本体１２に備えられる。
【００３６】
弾性固定帯２０は、一部が切欠する略円筒形状の帯状部材であり、合成樹脂製である。弾性固定帯２０は、第３円柱部１３ｃの周側面を覆うようにして容器本体１２に備えられる。
【００３７】
なお、参考例１においては、容器本体１２における円柱部１３およびフランジ部１４は円柱形状に設計されているが、角柱形状等に設計しても良い。その場合、閉鎖リング１６も容器本体１２の形状に合わせて設計される。
【００３８】
前記開口部１５は、溝状、凹状、貫通孔状などのいずれであっても良く、目的に応じて適宜決定することができる。開口部１５の開口形状としては、円形状、多角形状、帯状、線状などのいずれであっても良い。開口部１５の数、大きさ、位置などについても特に制限はなく、適宜選択することができる。
【００４０】
前記容器本体１２および閉鎖リング１６の材質、大きさ、形状等については特に制限はなく、使用目的に応じて適宜決定することができる。また、容器本体１２の内部の空間１３ｆの大きさ、形状等についても適宜決定することができる。
【００４１】
参考例１の開口部開閉装置１１においては、図２に示すように初期状態として、弾性固定帯２０が容器本体１２に備えられている。閉鎖リング１６は、前記弾性固定帯２０の存在により、第３円柱部１３ｃの周側面上を移動することができない。このとき、開口部１５は閉鎖リング１６により閉鎖され続ける。使用時の開口部開閉装置１１においては、弾性固定帯２０を容器本体２０から取り外し、閉鎖リング１６を容器本体１２の外表面に沿ってネジ山１３ｄ側に移動させる。この閉鎖リング１６の移動に伴い、開口部１５が露出する。閉鎖リング１６におけるネジ山１８ａと、ネジ山１３ｄとを螺合させる。このとき、開口部１５は、図３に示すように開放され続ける。その結果、容器本体１２における内部すなわち空間２１と、外部とは連通状態になる。
【００４２】
参考例１の開口部開閉装置１１は、容器本体１２と閉鎖リング１６とを有してなる簡単な構造であり、弾性固定帯２０を容器本体１２の外表面に装着するだけで簡単に開口部１５を閉鎖状態に維持することができ、この弾性固定帯２０を容器本体１２から取り外し、ネジ山１８ａとネジ山１３ｄとを螺合するだけで簡単に開口部１５を開放状態に維持することができ、極めて取り扱い易い。また、開口部１５や空間２１の形状等を目的に応じて適宜変更すれば各種装置に好適に応用することができ、多様な用途を有する。特に、参考例１の開口部開閉装置は、第３の発明の海水発電装置のケーシングとして好適に使用することができる。
【００４３】
（実施例１）
以下、第１の発明の海水発電装置の実施例について図面を参照しながら説明する。図４は、第１の発明の海水発電装置の一実施例を示す一部切欠概略説明図である。
【００４４】
図４に示す海水発電装置２１は、容器本体２２と閉鎖リング２６と弾性固定帯３０と海水電池装置３５とを有してなる。
【００４５】
容器本体２２、閉鎖リング２６、弾性固定帯３０は、それぞれ前記参考例１における、容器本体１１、閉鎖リング１６、弾性固定帯３０と同様である。実施例１の海水発電装置２１は、海水発電装置３４を備える点で、これを備えていない参考例１における開口部開閉装置１１と相違する。
【００４６】
実施例１においては、前記参考例１の開口部開閉装置１１における空間１３ｆが電池室３１である。電池室３１には、海水電池装置３４を配置するための海水電池装置配置部３２が形成されている。また、容器本体２２の第１円柱部２３ａにおける、接続部２３ｅと接続される側の端面には穴３３が形成されており、この穴３３により、電池室３１と容器本体２２の外部とが連通される。海水電池装置２４における配線２５は、穴２３を経て容器本体２２の外部に導出される。
【００４７】
なお、実施例１においては、容器本体２２における円柱部２３およびフランジ部２４は円柱形状に設計されているが、角柱形状等に設計しても良い。その場合、閉鎖リング２６も容器本体２２の形状に合わせて設計される。
【００４８】
前記開口部２５は、溝状、凹状、貫通孔状などのいずれであっても良く、目的に応じて適宜決定することができる。開口部２５の開口形状としては、円形状、多角形状、帯状、線状などのいずれであっても良い。開口部２５の数、大きさ、位置などについても特に制限はなく、適宜選択することができる。
【００４９】
前記実施例１においては、開口部２５を閉鎖する位置に閉鎖リング２６を固定するのに、弾性固定帯３０を用いるが、この弾性固定帯３０に限られず、前記第３円柱部２３ｃの周側面であって第２円柱部２３ｂ側の端部にネジ山２３ｄと螺合可能なねじ山を形成しても良く、あるいは嵌合、粘着テープによる固定などの各種の手段を採用することができる。
【００５０】
前記容器本体２２および閉鎖リング２６の材質、大きさ、形状等については特に制限はなく、使用目的に応じて適宜決定することができる。また、容器本体２２の内部の空間２３ｆの大きさ、形状等についても適宜決定することができる。
実施例１の海水発電装置２１においては、初期状態として、弾性固定帯３０が容器本体２２に備えられている。閉鎖リング２６は、弾性固定帯３０の存在により、第３円柱部２３ｃの周側面上を移動することができない。このとき、開口部２５は閉鎖リング２６により閉鎖状態に維持される。使用時の海水発電装置２１においては、弾性固定帯３０を容器本体２２から取り外し、閉鎖リング２６を容器本体２２の外表面に沿ってネジ山２３ｄ側に移動させる。この閉鎖リング２６の移動に伴い、開口部２５が露出する。閉鎖リング２６におけるネジ山２８ａと、ネジ山２３ｄとを螺合させる。このとき、開口部２５は、開放状態に維持され続ける。その結果、電子室３１と容器本体２２の外部とは連通状態になる。この状態で海水発電装置２１を海水に浸すと、開口部２５から電池室３１内へ海水が流入する。電池室３１内が海水で満たされる。海水電池装置３４が海水に接触して作動する。海水電池装置３４に電流が生ずる。この電流は配線３５により導かれ、図示しない各種装置類の作動に供される。なお、前記穴３３における間隙は閉塞されているので、電池室３１内に流入した海水は、接続部２３ｅ側には漏出しない。
【００５１】
実施例１の海水発電装置２１は、容器本体２２と閉鎖リング２６とを有してなる簡単な構造であるので、製造が容易で、補修や取り扱いが簡便である。
【００５２】
この海水発電装置２１は、弾性固定帯３０を容器本体２２の外表面に装着するだけで簡単に開口部２５を閉鎖状態に維持することができるので、使用前における誤作動を効果的に防止することができる。すなわち、使用前の海水発電装置２１においては、開口部２５が閉鎖状態に維持されているので、たとえ海水発電装置２１を誤って海水中に落としても、海水発電装置２１を作動させることはない。一方、この海水発電装置２１は、弾性固定帯３０を容器本体２２から取り外し、ネジ山２８ａとネジ山２３ｄとを螺合するだけで簡単に開口部２５を開放状態に維持することができるので、使用時には内部に収容する海水電池を容易にかつ確実に作動させ、電流を生じさせることができる。すなわち、使用時の海水発電装置２１においては、開口部２５が開放状態に維持されているので、海水発電装置２１を海水に浸すだけで、容易に海水発電装置２１を作動させることができる。
【００５３】
この海水発電装置２１を各種装置に設けると、所望の使用時にのみその装置を作動させることができる。前記各種装置としては、特に制限はないが、たとえば海上発煙筒、海水モータなどを好適に挙げることができる。
【００５４】
（実施例２）
以下、第２の発明の海上発煙筒の実施例について図面を参照しながら説明する。図５は、この発明の海上発煙筒の一実施例を示す一部切欠概略説明図である。
【００５５】
図５に示す海上発煙筒４１は、実施例１の海水発電装置２１と発煙筒４２とを有する。
【００５６】
発煙筒４２は、筒体４３と点火剤４４と発煙剤４５とを備える。
【００５７】
筒体４３は、両端が開口し、その内の一端が凸状の尖端に形成された円筒形状の部材である。筒体４３の内径は、海水発電装置２１における接続部２３ｅの外径と同じ長さである。筒体４３の外径は、海水発電装置２１における第１円柱部２３ａの外径と同じ長さである。実施例２において筒体４３は、発泡スチロール製である。筒体４３の他端には、海水発電装置２１が、前記接続部２３ｅが前記筒体４３内に収容されるようにして備えられる。実施例２において、筒体４３と海水発電装置２１とは、接着剤により一体的に接続されている。
【００５８】
筒体４３の内部において、海水発電装置２１側から見て、近い方から発煙剤４５、点火剤４４の順でこれらの薬剤が充填されている。なお、前記海水発電装置２１における配線３５は、前記筒体４３の内周面に沿って敷設させ、その先端部が前記点火剤４４に接続されている。実施例２において、点火剤４４は、四酸化鉛、けい素鉄系化合物であり、発煙剤４５は、塩素酸カリウムとミジン粉と澱粉と色剤とを混合して調製した薬剤である。白煙を発煙させる場合には、赤リンと二酸化マンガン等とを混合して調製した薬剤を用いることができる。
【００５９】
なお、実施例２の海上発煙筒４１における海水発電装置３４は、前記実施例１における海水発電装置３４におけるのと同様の変形が可能である。
【００６０】
また、発煙筒４２において、前記筒体４３の大きさ、形状、材質等についても目的に応じて適宜選択することができ、たとえば球形状、方形状、棒状などのいずれであっても良いし、合成樹脂製、軽金属製、セラミックス製などであっても良い。
【００６１】
前記点火剤４４としては、海水発電装置３４からの電流により、発煙剤４５を点火することができる限り特に制限はなく、それ自体公知の点火剤、たとえば赤テルと細石等との混合物など、を適宜選択して用いることができる。
【００６２】
また、前記発煙剤４５としては、発煙することができる限り特に制限はなく、目的に応じて適宜選択することができるが、たとえば塩素酸カリウムとミジン粉と澱粉と必要に応じて添加する色剤との組み合わせなどを挙げることができる。
前記色剤としては、たとえば以下のものを好適に挙げることができる。赤色煙の場合には、ピグメントレッド・１、ベージュバイオレット・１０、パラレッド、オイルレッド、ローダミンなどを挙げることができる。これらの中でも、ピグメントレッド・１とベージュバイオレット・１０との組み合わせが好ましい。青色煙の場合には、ピグメントブルー・１５、バットブルー、フタロシアニンブルー、インジゴなどを挙げることができる。これらの中でも、ピグメントブルー・１５とバットブルーとの組み合わせが好ましい。黄色煙の場合には、オイルイエローなどを挙げることができる。黒色煙の場合には、アントラセン、過塩素酸カリウムなどを挙げることができる。
【００６３】
実施例２の海上発煙筒４１においては、初期状態として、海水発電装置２１における弾性固定帯３０が、容器本体２２に備えられている。閉鎖リング２６は、弾性固定帯３０の存在により、第３円柱部２３ｃの周側面上を移動することができない。このとき、開口部２５は閉鎖リング２６により閉鎖状態に維持される。使用時の海水発電装置２１においては、弾性固定帯３０を容器本体２２から取り外し、閉鎖リング２６を容器本体２２の外表面に沿ってネジ山２３ｄ側に移動させる。この閉鎖リング２６の移動に伴い、開口部２５が露出する。閉鎖リング２６におけるネジ山２８ａと、ネジ山２３ｄとを螺合させる。このとき、開口部２５は、開放状態に維持され続ける。その結果、電子室３１と容器本体２２の外部とは連通状態になる。
【００６４】
この状態で海上発煙筒４１を海上に投下する。海上発煙筒４１は海上に浮遊する。海上発煙筒４１における海水発電装置２１側は、ステンレス綱製であるので、海水よりも比重が大きく、海中に浸漬する。一方、海水発煙筒４１における筒体４３の尖端は海面より浮上する。このとき、開口部２５から電池室３１内へ海水が流入する。電池室３１内が海水で満たされる。海水電池装置３４が海水に接触して作動する。海水電池装置３４に電流が生ずる。この電流は配線３５により点火剤４４に伝達される。点火剤４４がこの電流により発火し、発煙剤４５を発煙させる。発煙剤４５による煙が、筒体４３内に充満し、筒体４３の尖端開口から噴出する。なお、海水発電装置２１の穴３３における間隙は閉塞されているので、電池室３１内に流入した海水は、発煙筒４２の内部には漏出しない。その結果、発煙剤４５および点火剤４４を乾燥状態に維持することができる。
【００６５】
実施例２の海上発煙筒４１は、海水発電装置２１と発煙筒４２とを有してなる簡単な構造であるので、製造が容易であり、保存、運搬、取り扱いに極めて便利である。
【００６６】
この海上発煙筒４１は、海水発電装置２１における弾性固定帯３０を容器本体２２の外表面に装着するだけで簡単に開口部２５を閉鎖状態に維持することができるので、使用前における誤作動を効果的に防止することができる。すなわち、使用前の海上発煙筒４１においては、海水発電装置２１における開口部２５が閉鎖状態に維持されているので、たとえ海上発煙筒４１を誤って海上に投下しても、発煙することがない。
【００６７】
一方、この海上発煙筒４１は、海水発電装置２１における弾性固定帯３０を容器本体２２から取り外し、ネジ山２８ａとネジ山２３ｄとを螺合するだけで簡単に開口部２５を開放状態に維持することができるので、使用時においては内部に収容する海水電池装置３４を容易にかつ確実に作動させ、発煙剤４５を発煙させることができる。すなわち、使用時の海上発煙筒４１においては、海水発電装置２１における開口部２５が開放状態に維持されているので、海上発煙筒４１を海上に投下するだけで、緊急時下、容易にかつ確実に海上発煙装置４１を発煙させることができる。
【００６８】
【発明の効果】
この発明によると、構造が簡単で取り扱い易く、使用時に開口部を容易に開放状態または閉鎖状態に維持することができ、各種装置に応用可能で多様な用途を有する開口部開閉装置を提供することができる。また、この発明によると、使用前における誤作動を防止する一方、使用時には海水電池を確実に作動させ、電流を生じさせることができる海水発電装置を提供することができる。さらに、この発明によると、使用前における誤作動を防止し、緊急時下で容易にかつ確実に発煙させることができる海上発煙筒を提供することができる。
【図面の簡単な説明】
【図１】  図１は、参考例である開口部開閉装置の一例を示す一部切欠概略説明図である。
【図２】  図２は、参考例の開口部開閉装置の他の例を示す一部切欠概略説明図である。
【図３】  図３は、図２に示す開口部開閉装置の動作例を示す一部切欠概略説明図である。
【図４】  図４は、第１の発明の海水発電装置の一実施例を示す一部切欠概略説明図である。
【図５】  図５は、第２の発明の海上発煙筒の一実施例を示す一部切欠概略説明図である。
【符号の説明】
１・・・開口部開閉装置
２・・・本体
３・・・円柱部
３ａ・・・第１円柱部
３ｂ・・・第２円柱部
３ｃ，３ｄ・・・ネジ山
４・・・フランジ部
５・・・開口部
６・・・閉鎖リング
７・・・筒部
８・・・底部
８ａ・・・ネジ山
９・・・貫通孔
１１・・・開口部開閉装置
１２・・・容器本体
１３・・・円柱部
１３ａ・・・第１円柱部
１３ｂ・・・第２円柱部
１３ｃ・・・第３円柱部
１３ｄ・・・ネジ山
１３ｅ・・・接続部
１３ｆ・・・空間
１４・・・フランジ部
１５・・・開口部
１６・・・閉鎖リング
１７・・・筒部
１８・・・底部
１８ａ・・・ネジ山
１９・・・貫通孔
２０・・・弾性固定帯
２１・・・海水発電装置
２２・・・容器本体
２３・・・円柱部
２３ａ・・・第１円柱部
２３ｂ・・・第２円柱部
２３ｃ・・・第３円柱部
２３ｄ・・・ネジ山
２３ｅ・・・接続部
２４・・・フランジ部
２５・・・開口部
２６・・・閉鎖リング
２７・・・筒部
２８・・・底部
２８ａ・・・ネジ山
２９・・・貫通孔
３０・・・弾性固定帯
３１・・・電池室
３２・・・海水電池装置配置部
３３・・・穴
３４・・・海水電池装置
３５・・・配線
４１・・・海水発電装置
４２・・・発煙筒
４３・・・筒体
４４・・・点火剤
４５・・・発煙剤 
【図１】
0003749741.tif 000002
【図２】
0003749741.tif 000003
【図３】
0003749741.tif 000004
【図４】
0003749741.tif 000005
【図５】
0003749741.tif 000006